【誤訳訂正書】
【提出日】平成23年6月22日(2011.6.22)
【誤訳訂正１】
【訂正対象書類名】明細書
【訂正対象項目名】特許請求の範囲
【訂正方法】変更
【訂正の内容】
【特許請求の範囲】
【請求項１】  ヒト食道から異常組織を除去するためのシステムであって、
細長い部材と、
前記細長い部材の遠位部分に結合され、食道内に配置され膨張するように形成された膨張可能部材と、
少なくとも部分的に前記膨張可能部材の周囲に設けられた複数のＲＦ電極の組と、を備え、
各ＲＦ電極の幅及び隣接するＲＦ電極間の間隔が、食道の粘膜層を選択的に除去可能なように選択されており、隣接するＲＦ電極間の間隔が、２ｍｍよりも大きくない間隔であり、前記複数のＲＦ電極の組が、パターン状に配置されている、システム。
【請求項２】  前記膨張可能部材は、バルーンである、請求項１に記載のシステム。
【請求項３】  前記複数のＲＦ電極の組が、ＲＦ電極列を形成している、請求項１に記載のシステム。
【請求項４】  前記複数のＲＦ電極の組に接続されたＲＦ出力源を更に備えている、請求項１に記載のシステム。
【請求項５】  前記複数のＲＦ電極の組に接続され、前記膨張可能部材を制御して位置決めする制御装置を更に備えている、請求項１に記載のシステム。
【請求項６】  前記膨張可能部材は、膨張状態において、食道を引き伸ばして食道の粘膜層を薄くするように形成されている、請求項１に記載のシステム。
【請求項７】  前記膨張可能部材に連結された膨張可能媒体源を更に備えた、請求項１に記載のシステム。
【請求項８】  前記複数のＲＦ電極の組は、パターン状に配置されている、請求項１に記載のシステム。
【請求項９】  前記ＲＦ電極の組は、前記膨張可能部材の周囲に延びている、請求項１に記載のシステム。
【請求項１０】  前記複数のＲＦ電極の組の各ＲＦ電極は、隣接するＲＦ電極と平行である、請求項１に記載のシステム。
【請求項１１】  前記複数のＲＦ電極の組は、前記膨張可能部材に結合されたシート上に形成されている、請求項１に記載のシステム。
【請求項１２】  前記複数のＲＦ電極の組に接続された温度センサを更に備えている、請求項１に記載のシステム。
【請求項１３】  前記複数のＲＦ電極の組に接続された多重化装置を更に備えている、請求項１に記載のシステム。
【請求項１４】  前記膨張可能部材は、導電性エラストマーで形成されている、請求項１に記載のシステム。
【請求項１５】  前記複数のＲＦ電極の組の長さが、１〜１０ｃｍの間である、請求項１に記載のシステム。
【請求項１６】  前記膨張可能部材は、膨張状態において、１２〜２５ｍｍの間の直径を有する、請求項１に記載のシステム。
【請求項１７】  前記複数のＲＦ電極の組に接続された電気多極コネクタを更に備えている、請求項１に記載のシステム。
【請求項１８】  前記細長い部材は、可撓性を有する、請求項１に記載のシステム。
【請求項１９】  前記膨張可能部材は、膨張状態において、固定された大きさに膨張可能である、請求項１に記載のシステム。
【請求項２０】  前記膨張可能部材は、膨張状態において、可変サイズに膨張可能である、請求項１に記載のシステム。
【請求項２１】  前記膨張可能部材は、膨張状態において、食道脈管構造内の血流を閉塞させるのに十分なように食道を引き伸ばすように形成されている、請求項１に記載のシステム。
【請求項２２】  前記ＲＦ電極の組が、両極性軸方向インタレースフィンガー電極のパターンに配置されている、請求項１に記載のシステム。
【請求項２３】  前記ＲＦ電極は、１平方センチメートル当たり５０〜６０ワットの間で出力を供給するように構成されている、請求項２２に記載のシステム。
【請求項２４】  前記ＲＦ電極は、１平方センチメートル当たり少なくとも１０ジュールのエネルギーを供給するように構成されている、請求項２３に記載のシステム。
【請求項２５】  前記ＲＦ電極は、隣接した列の配列のように配置されている、請求項１に記載のシステム。
【請求項２６】  前記列は少なくとも１ｍｍの長さを有する、請求項２５に記載のシステム。
【請求項２７】  前記ＲＦ電極の組が、両極性軸方向インタレースフィンガー電極のパターンに配置されている、請求項１に記載のシステム。
【請求項２８】  前記ＲＦ電極の組が、ＲＦ単極電極のパターンに配置されている、請求項１に記載のシステム。
【請求項２９】  前記ＲＦ電極の組は、複数の両極性ＲＦ電極の組を備え、前記ＲＦ電極が、隣接した列の配列のように配置され、列の全体的な長さにわたって単一の共通ＲＦ電極を有し、各電極の組が、選択可能な長さの配列に分割された電極を有する、請求項１に記載のシステム。
【誤訳訂正２】
【訂正対象書類名】明細書
【訂正対象項目名】００２３
【訂正方法】変更
【訂正の内容】
【００２３】
本発明の電極パターンは、除去する部位の長さ、除去部位の粘膜及び粘膜下組織の深さ及び他の因子に応じて変えることができる。本発明の装置と共に用いることができる他の可能な電極パターンには、それぞれ８０、８４、８８、及び９２として図７に示すパターンが含まれるが、これに限定されない。パターン８０は、０．３ｍｍ間隔の両極性軸方向インタレースフィンガー電極のパターンである。パターン８４は、０．３ｍｍ間隔の単極バンドを含む。パターン８８は、０．３ｍｍ間隔の両極性リングを含む。パターン９２は、０．２５４８ｍｍ間隔の波形電極のパターン電極である。
【誤訳訂正３】
【訂正対象書類名】明細書
【訂正対象項目名】００３６
【訂正方法】変更
【訂正の内容】
【００３６】
食道壁と電極列との間の良好な接触を確実にするために、貫通管腔管を僅かに吸引してバルーンより遠位の食道内の空気圧を減少させることができ、同時にバルーンより近位の食道部分も僅かに吸引することができる。この吸引により、バルーンにより拡張された食道壁の部分が、バルーン上に配置された電極列に接触して引っ張られることになる。
電極列に関する上述の治療パラメータを様々に変更することにより、異常組織の除去が最適に行われるようにすることができる。上述の研究よりも浅い病変を得るためには、加えるＲＦエネルギーを大きくし、且つ治療時間を短くすることができる。また、電極パターンも図７に示すように変更して、得られる病変の均一性及び浅さを改善することができる。また、本発明のシステム及び方法を変更して、温度フィードバック、抵抗フィードバック及び／又は多重化電極チャネルを組み込んでもよい。
本発明の好ましい実施形態を説明したが、本発明の精神及び添付の請求項の範囲から逸脱することなく、種々の変形、改変及び変更が可能であることを理解されたい。
以下に、本発明の実施態様を記載する。
（態様１）ａ．ヒト食道内に挿入され位置決めされるように形作られた膨張可能部材に関連し、高周波エネルギー、マイクロ波エネルギー、光エネルギー、超音波エネルギー、又は加熱流体媒体により生成されるエネルギーを分配することができるエネルギー分配手段と、
ｂ．ヒト食道内の組織を予め定められた除去深度まで除去するために前記エネルギー分配手段に適切なレベルで出力するように構成された出力手段と、
ｃ．前記膨張可能部材を正確に制御して位置決めするように設計された制御手段と、
を含むヒト食道から異常組織を除去するシステム。
（態様２）前記エネルギー分配手段が、食道内腔の周囲に均一にエネルギーが加わるように前記膨張可能部材に対して位置決めされていることを特徴とする態様１に記載のシステム。
（態様３）前記エネルギー分配手段が、前記膨張可能部材の表面に配置されていることを特徴とする態様２に記載のシステム。
（態様４）前記エネルギー分配手段が、前記膨張可能部材の外側表面に配置されていることを特徴とする態様３に記載のシステム。
（態様５）前記出力手段が、エネルギー分配手段に十分な出力で供給するのに十分な予め定められた時間、予め定められたエネルギー量を供給して、食道の粘膜下組織層を超えない除去深度を達成するために前記組織に適切なレベルのエネルギーを印加するように構成されていることを特徴とする態様１に記載のシステム。
（態様６）前記出力手段が、制御装置を更に含むことを特徴とする態様５に記載のシステム。
（態様７）前記制御装置が、コンピュータ及びソフトウェアを含むことを特徴とする態様６に記載のシステム。
（態様８）前記エネルギー分配手段が、外側表面に関連する導電性部材を有する膨張可能なバルーンを含むことを特徴とする態様２に記載のシステム。
（態様９）前記膨張可能なバルーンが、食道内の所望の除去部位で膨張したときに、前記導電性部材が除去組織にしっかり押圧されて、前記食道が、食道脈管構造内の血流を閉塞するのに十分に引き伸ばされて薄くなるように、前記膨張可能なバルーンの直径が選択されることを特徴とする態様８に記載のシステム。
（態様１０）前記エネルギーが、高周波エネルギーであることを特徴とする態様１に記載のシステム。
（態様１１）前記導電性部材が、電極列であることを特徴とする態様１０に記載のシステム。
（態様１２）前記電極列が、ポリイミド導電性フィルム上に銅を含むことを特徴とする態様１１に記載のシステム。
（態様１３）前記エネルギーが、超音波エネルギーであることを特徴とする態様１に記載のシステム。
（態様１４）前記エネルギーが、光エネルギーであることを特徴とする態様１に記載のシステム。
（態様１５）前記光エネルギーが、紫外線、赤外線、平行光、非平行光、干渉光、非干渉光又は可視光であることを特徴とする態様１４に記載のシステム。
（態様１６）前記エネルギーが、マイクロ波エネルギーであることを特徴とする態様１に記載のシステム。
（態様１７）前記エネルギー分配手段が、加熱流体媒体から伝達される熱エネルギーを分配することを特徴とする態様１に記載のシステム。
（態様１８）前記導電性部材が、互いに間隔をおいて配置された複数の両極性リング、互いに間隔をおいて配置された複数の単極性矩形、又は互いに間隔をおいて配置された両極性軸方向インタレースフィンガー電極のパターンのうちの少なくとも１つであるパターンを含むことを特徴とする態様８に記載のシステム。
（態様１９）前記両極性リングが、互いに２ｍｍよりも大きくない間隔をおいて配置されていることを特徴とする態様１８に記載のシステム。
（態様２０）前記単極性矩形が、互いに１ｍｍよりも大きくない間隔をおいて配置されていることを特徴とする態様１８に記載のシステム。
（態様２１）前記両極性軸方向インタレースフィンガー電極が、互いに１ｍｍよりも大きくない間隔をおいて配置されていることを特徴とする態様１８に記載のシステム。
（態様２２）前記膨張可能な導電性部材の長さが、８ｍｍと１０ｃｍの間であることを特徴とする態様１８に記載のシステム。
（態様２３）ａ．ヒト食道内に挿入して位置決めする形状にされた膨張可能部材の表面に位置決めされた、高周波エネルギーを分配することができるエネルギー分配手段と、
ｂ．ヒト食道内のヒト組織を予め定められた除去深度まで除去するために適切なレベルで前記エネルギー分配手段に出力するように構成され、前記食道組織を予め定められた除去深度まで除去するのに好適な出力量と治療時間とを選択するための制御手段を含む出力手段と、を含むヒト食道から異常組織を除去するシステム。
（態様２４）前記除去組織を吸引して前記膨張可能部材に接触させるための吸引手段を更に含む態様２３に記載のシステム。
（態様２５）前記膨張可能部材が、膨張して前記食道内腔の予め定められた長さの周囲の組織に接触するように適合されて、前記エネルギー分配手段が前記内腔組織に均一にエネルギーを印加することを特徴とする態様２３に記載のシステム。
（態様２６）ヒト食道から異常組織を除去する装置であって、
ａ．カテーテルの遠位端に位置決めされた膨張可能なバルーンを含むバルーンカテーテルと、
ｂ．高周波エネルギーを分配することができる前記バルーンの外側表面に位置決めされた電極列を含むエネルギー分配手段と、
ｃ．予め定められた除去深度まで前記組織を除去するのに適切なレベルでエネルギーが前記組織に加えられるように前記エネルギー分配手段に出力するよう構成された出力手段と、を含む装置。
（態様２７）前記電極列が、互いに分離された平行バーからなる両極性リングを含み、前記バーが、前記バルーンの周りに巻き付けられると完全に連続したリングを形成することを特徴とする態様２６に記載の装置。
（態様２８）前記電極列が、該列の第１の層に配置された交互極性の両極性リングと、前記列の第２の層に配置された電気接点とを含み、前記リングが、前記絶縁層を通して前記電気接点に接続されていることを特徴とする態様２６に記載の装置。
（態様２９）ヒト食道から異常組織を除去する装置であって、
ａ．近位端及び遠位端を有する可撓性のシャフトと、前記シャフトの遠位端に位置決めされた膨張可能なバルーンとを含むバルーンカテーテルと、
ｂ．前記バルーンの予め定められた長さ部分の周りに位置決めされた電極列を含む高周波エネルギー分配手段と、
ｃ．前記エネルギー分配手段に連結された、予め定められた除去深度まで前記組織を除去するのに適切なレベルでエネルギーを前記組織に加えるように前記エネルギー分配手段に出力するよう構成された出力手段と、を含む装置。
（態様３０）前記出力源が、２００〜６００ジュールのエネルギーを前記除去組織に送達するのに十分な時間の間、前記エネルギー分配手段に十分な出力で供給するように適合されていることを特徴とする態様２９に記載の装置。
（態様３１）前記出力源が、前記エネルギー分配手段に出力する出力量と、該出力を前記エネルギー分配手段に供給する時間とを制御する制御装置を更に含むことを特徴とする態様３０に記載の装置。
（態様３２）前記出力源が、前記組織に領域１平方センチメートル当たりに２００ジュールよりも大きくないエネルギーを送達するのに十分な時間の間、前記エネルギー分配手段に十分な出力で供給するように適合されていることを特徴とする態様２９に記載の装置。
（態様３３）作動させられると、除去される前記食道組織を吸引して電極列に接触するようになる、前記バルーンに関連する吸引手段を更に含むことを特徴とする態様２９に記載の装置。
（態様３４）ヒト食道から異常組織を除去する装置であって、
ａ．近位端及び遠位端を有する可撓性のシャフトと、前記シャフトの遠位端に位置決めされた膨張可能なバルーンとを含むバルーンカテーテルと、
ｂ．前記バルーンの予め定められた長さ部分の周りに位置決めされた電極列を含み、前記電極列が互いに間隔をおいて配置された複数の両極性リング、互いに間隔をおいて配置された複数の単極性矩形、又は互いに間隔をおいて配置された両極性軸方向インタレースフィンガー電極のパターンのうちの少なくとも１つであるパターンを含む高周波エネルギー分配手段と、
ｃ．前記エネルギー分配手段に連結された、予め定められた除去深度まで前記組織を除去するのに適切なレベルでエネルギーを前記組織に加えるように前記エネルギー分配手段に出力するよう構成された出力手段と、を含む装置。
（態様３５）前記電極列が、互いに分離した平行バーで形成された両極性リングのパターンを含み、前記バーが、前記バルーンの周りに巻き付けられると完全に連続したリングを形成することを特徴とする態様３４に記載の装置。
（態様３６）ヒト食道から異常組織を除去する装置であって、
ａ．カテーテルの遠位端に位置決めされた膨張可能なバルーンを含み、膨張時の前記バルーンの直径が食道内腔の予め定められた長さの周囲組織に接触するように選択されたバルーンカテーテルと、
ｂ．前記バルーンが膨張されたときに前記内腔の組織に均一に高周波エネルギーを分配することができる、前記バルーンの外側表面に位置決めされた電極列を含むエネルギー分配手段と、
ｃ．予め定められた除去深度まで前記組織を除去するのに適切なレベルでエネルギーが前記組織に印加されるように前記エネルギー分配手段に出力するよう構成された出力手段と、を含む装置。
（態様３７）ヒト食道から異常組織を除去する装置であって、
ａ．近位端及び遠位端を有する可撓性のシャフトと、前記シャフトの遠位端に位置決めされた膨張可能なバルーンとを含み、前記バルーンが予め定められた直径まで膨張することができ、前記バルーンが前記食道内の除去部位に位置決めされて最大直径まで膨張したとき、前記バルーンの外側表面が前記組織にしっかり押圧されて、前記組織への血流が減少又は抑制されることになるように前記直径が選択されるバルーンカテーテルと、
ｂ．前記バルーンが膨張すると、前記食道内腔の周囲の組織に均一に高周波エネルギーを分配することができる、前記バルーンの外側表面に位置決めされた電極列を含むエネルギー分配手段と、
ｃ．予め定められた除去深度まで前記組織を除去するのに適切なレベルでエネルギーが前記組織に印加されるように前記エネルギー分配手段に出力するよう構成された出力手段と、を含む装置。
（態様３８）所望の除去部位で前記食道内腔の直径を視覚化する段階と、
前記バルーン膨張時に、該バルーンの外側表面が前記除去組織に均一にしっかりと押圧されるようになる直径のバルーンを選択する段階と、
を含む態様３５に記載の装置の完全に膨張されたバルーン直径の適切な大きさを決定する方法。
（態様３９）追従性のあるバルーンを除去部位に挿入して位置決めする段階と、
前記バルーンを膨張させて、該バルーンの外側表面を除去される前記異常組織にしっかり押圧するようになる段階と、
この時の前記追従性のあるバルーンの直径を測定する段階と、
前記バルーン膨張時に、該バルーンの外側表面が前記除去組織に均一にしっかりと押圧される大きさとなる直径のバルーンを選択する段階と、
を含む態様３７に記載の装置の完全に膨張されたバルーン直径の適切な大きさを決定する方法。
（態様４０）ヒト食道の異常組織にアクセスして該組織を除去する方法であって、
ａ．視覚化技術を用いて前記異常組織の存在を識別する段階と、
ｂ．高周波エネルギー、マイクロ波エネルギー、超音波エネルギー、光エネルギー、又は加熱流体媒体により発生するエネルギーを発生する出力源に接続可能であるエネルギー分配手段を膨張可能部材の表面上に位置決めし、該膨張可能部材を前記ヒト食道内に内視鏡的に挿入する段階と、
ｃ．前記除去組織を有する前記ヒト食道の部分に近接して前記膨張可能部材を位置決めする段階と、
ｄ．前記組織を除去するために適切に焦点を合わせたエネルギーを前記異常組織の部位に供給するように、前記膨張可能部材を膨張させて位置決めする段階と、
ｅ．制御された量の除去エネルギーを前記膨張可能部材のエネルギー分配手段に供給し、前記食道の制御された除去深度まで組織を除去する段階と、を含む方法。
（態様４１）識別された前記異常組織が、バレット上皮組織、バレット上皮組織の変異形形、異形成組織、又は悪性組織であることを特徴とする態様４０に記載の方法。
（態様４２）使用される前記エネルギーが、高周波エネルギーであることを特徴とする態様４１に記載の方法。
（態様４３）使用される前記エネルギーが、紫外線であることを特徴とする態様４１に記載の方法。
（態様４４）使用される前記エネルギーが、マイクロ波エネルギーであることを特徴とする態様４１に記載の方法。
（態様４５）使用される前記エネルギーが、加熱流体媒体から伝達される熱エネルギーであることを特徴とする態様４１に記載の方法。
（態様４６）使用される前記エネルギーが、超音波エネルギーであることを特徴とする態様４１に記載の方法。
（態様４７）使用される前記エネルギーが、平行又は非平行の光エネルギーであることを特徴とする態様４１に記載の方法。
（態様４８）使用される前記エネルギーが、干渉又は非干渉の光エネルギーであることを特徴とする態様４１に記載の方法。
（態様４９）使用される前記エネルギーが、可視光であることを特徴とする態様４１に記載の方法。
（態様５０）使用される前記エネルギーが、赤外線であることを特徴とする態様４１に記載の方法。
（態様５１）前記膨張可能部材を膨張させて位置決めする段階が、該膨張部材の外側表面が除去される前記異常組織にしっかりと押圧して、前記組織への血流を減少又は抑制するように前記膨張可能部材を膨張させる段階を更に含むことを特徴とする態様４１に記載の方法。
（態様５２）除去される前記異常組織に前記膨張可能部材の外側表面をしっかりと押圧して、追従性のあるバルーンを前記除去部位に挿入して位置決めすることにより前記組織への血流を減少又は遮断することになるような膨張時の直径を有する膨張可能部材を選択する段階と、
除去される前記異常組織に前記バルーンの外側表面がしっかりと押圧されるように前記バルーンを膨張させる段階と、
この時の前記バルーンの直径を測定する段階と、
膨張時に前記直径まで膨張することができる膨張可能部材を選択する段階と、を更に含む態様５１に記載の方法。
（態様５３）前記膨張可能部材が、互いに間隔をおいて配置された複数の両極性リング、互いに間隔をおいて配置された複数の単極性矩形、又は互いに間隔をおいて配置された両極性軸方向インタレースフィンガー電極のパターンのうちの少なくとも１つであるパターンを有する導電性部材を含むことを特徴とする態様４１に記載の方法。
（態様５４）両極性の交互リングを同時に活性化するためのエネルギーを発生させる段階を更に含むことを特徴とする態様５３に記載の方法。
（態様５５）組になった両極性リングに連続的にエネルギーを発生させる段階を更に含むことを特徴とする態様５３に記載の方法。
（態様５６）複数の前記単極性矩形に同時にエネルギーを発生させる段階を更に含むことを特徴とする態様５３に記載の方法。
（態様５７）複数の前記単極性矩形に連続的にエネルギーを発生させる段階を更に含むことを特徴とする態様５３に記載の方法。
（態様５８）前記両極性リングが、互いに２ｍｍよりも大きくない間隔をおいて配置されていることを特徴とする態様５３に記載の方法。
（態様５９）前記単極性矩形が、互いに１ｍｍよりも大きくない間隔をおいて配置されていることを特徴とする態様５３に記載の方法。
（態様６０）前記両極性軸方向インタレースフィンガー電極が、互いに１ｍｍよりも大きくない間隔をおいて配置されていることを特徴とする態様５３に記載の方法。
（態様６１）前記膨張可能導電性部材の長さが、８ｍｍから１０ｃｍの間であることを特徴とする態様５３に記載の方法。
（態様６２）使用される前記エネルギーが、高周波エネルギーであることを特徴とする態様５３に記載の方法。
（態様６３）前記高周波エネルギーを、前記両極性リングに１秒から１２０秒間に１５から１００ワットで供給することを特徴とする態様５３に記載の方法。
（態様６４）前記両極性リングに送達する出力量及び該出力を前記両極性リングに送達する時間を、組織の単位面積当たりの予め定められたエネルギー量が前記除去組織に加わるように前記電極列の直径及び長さ、及び前記除去組織の表面積に基づいて決定することを特徴とする態様５３に記載の方法。
（態様６５）除去組織の単位面積当たりに２００ジュールを、前記組織に加えることを特徴とする態様６１に記載の方法。
（態様６６）前記高周波エネルギーを、複数の前記単極性矩形の各々に１秒から１２０秒間に１５から１００ワットで供給することを特徴とする態様６１に記載の方法。
（態様６７）前記高周波エネルギーを、前記両極性軸方向フィンガー電極に、１秒から１２０秒間に１５から１００ワットで供給することを特徴とする態様６１に記載の方法。
（態様６８）適切な組織除去の有効性を向上させるために増感剤を用いる段階を更に含むことを特徴とする態様５３に記載の方法。
（態様６９）ヒト食道内のバレット上皮組織、バレット上皮組織の変異形、異形成組織、又は悪性組織である異常組織にアクセスして外組織を除去する方法であって、
ａ．視覚化技術を用いて、前記異常組織の存在を識別する段階と、
ｂ．高周波エネルギー、マイクロ波エネルギー、超音波エネルギー、光エネルギー、又は加熱流体媒体により発生するエネルギーを発生する出力源に接続可能であるエネルギー分配手段を膨張可能部材の表面上に位置決めし、該膨張可能部材を前記ヒト食道内に内視鏡的に挿入する段階と、
ｃ．前記除去組織を有する前記ヒト食道の部分に近接して前記膨張可能部材を位置決めする段階と、
ｄ．前記組織を除去するために適切に焦点を合わせたエネルギーを前記異常組織の部位に供給するように、且つ前記膨張部材の外側表面が、前記除去組織にしっかり押圧されて、前記組織への血流が減少又は抑制されるように前記膨張可能部材を膨張させ位置決めする段階と、
ｅ．前記膨張可能部材の少なくとも一部にエネルギーを供給し、予め定められた除去深度まで前記組織を除去する段階と、を含むことを特徴とする方法。
（態様７０）前記膨張可能部材が、該膨張可能部材の外側表面に関連する導電性部材を有する膨張可能バルーンを含むことを特徴とする態様６９に記載の方法。
（態様７１）前記エネルギーを前記除去部位に供給しつつ、十分な除去が起こった時を判定するために、前記組織のインピーダンスを監視する段階を更に含むことを特徴とする態様７０に記載の方法。
（態様７２）ヒト食道の異常組織にアクセスして該組織を除去する方法であって、
ａ．視覚化技術を用いて、前記異常組織の存在を識別する段階と、
ｂ．近位端及び遠位端を有する可撓性のシャフトと、
前記シャフトの前記遠位端に配置された膨張可能なバルーンと、
高周波エネルギー、マイクロ波エネルギー、光エネルギー、又は加熱流体媒体により発生するエネルギーを発生する出力源に連結可能であり、該出力が供給される際に、前記バルーンが前記食道内で膨張したときのバルーンの周囲に接触する全ての前記組織にエネルギーが均一に供給されることになるように位置決めされたエネルギー分配手段と、
を含むバルーンカテーテルを前記ヒト食道内に内視鏡的に挿入する段階と、
ｃ．前記除去組織を有するヒト食道の部分に近接して前記バルーンを位置決めする段階と、
ｄ．前記食道内腔の組織が、前記バルーンの周囲表面に接触するように前記バルーンを膨張させて位置決めする段階と、
ｅ．前記エネルギー分配手段に除去エネルギーを供給して、予め定められた除去深度まで組織を除去する段階と、を含む方法。
（態様７３）前記エネルギー分配手段に供給される前記除去エネルギー量が、除去部位で前記食道の粘膜下組織層を超えない深度まで組織を除去するのに適切なレベルで供給されることを特徴とする態様６９に記載の方法。
（態様７４）前記エネルギー分配手段に供給される前記除去エネルギーが、高周波エネルギーであり、予め定められた出力が、２００〜６００ジュールのエネルギーを前記除去組織に送達するのに十分な予め定められた時間の間供給されることを特徴とする態様６９に記載の方法。
（態様７５）前記除去エネルギーが高周波エネルギーであり、前記エネルギー分配手段が、長さが約１センチメートルで直径が約１８ｍｍの電極列を含み、前記エネルギー分配手段に供給される前記出力が、５〜２０秒間で２０〜６０ワットであることを特徴とする態様７０に記載の方法。
（態様７６）ヒト食道の異常組織にアクセスして該組織を除去する方法であって、
ａ．視覚化技術を用いて、前記異常組織の存在を識別する段階と、
ｂ．近位端及び遠位端を有する可撓性のシャフトと、
前記シャフトの前記遠位端に配置された膨張可能なバルーンと、
互いに間隔をおいて配置された複数の両極性リング、互いに間隔をおいて配置された複数の単極性矩形、又は互いに間隔をおいて配置された両極性軸方向インタレースフィンガー電極のパターンのうちの少なくとも１つであるパターンを有する電極列を含み、高周波エネルギーを発生する出力源に連結可能であり、該出力が供給される際に、前記バルーンが前記食道内で膨張したときのバルーンの周囲に接触する全ての前記組織にエネルギーが均一に供給されることになるように位置決めされたエネルギー分配手段と、
を含むバルーンカテーテルを前記ヒト食道内に前記内視鏡的に挿入する段階と、
ｃ．前記除去組織を有するヒト食道の部分に近接して前記バルーンを位置決めする段階と、
ｄ．前記食道内腔の組織が、前記バルーンの周囲表面に接触するように前記バルーンを膨張させて位置決めする段階と、
ｅ．前記エネルギー分配手段に除去エネルギーを供給して、予め定められた除去深度まで組織を除去する段階と、を含む方法。
（態様７７）ヒト食道の異常組織にアクセスして該組織を除去する方法であって、
ａ．視覚化技術を用いて、前記異常組織の存在を識別する段階と、
ｂ．近位端及び遠位端を有する可撓性のシャフトと、
前記シャフトの前記遠位端に配置された膨張可能なバルーンと、
高周波エネルギーを発生する出力源に連結可能であり、該出力が供給される際に、前記バルーンが前記食道内で膨張したときのバルーンの周囲に接触する全ての前記組織にエネルギーが均一に供給されることになるように位置決めされたエネルギー分配手段と、
を含むバルーンカテーテルを前記ヒト食道内に内視鏡的に挿入する段階と、
ｃ．前記除去組織を有するヒト食道の部分に近接して前記バルーンを位置決めする段階と、
ｄ．前記食道内腔の組織が前記バルーンの周囲表面に接触して、その結果前記バルーンの外側表面が、前記除去組織にしっかり押圧されて前記組織への血流が減少又は抑制されるようにするように前記バルーンを膨張させて位置決めする段階と、
ｅ．前記エネルギー分配手段に除去エネルギーを供給して、予め定められた除去深度まで組織を除去する段階と、を含む方法。
（態様７８）ヒト食道の異常組織にアクセスして該組織を除去する方法であって、
ａ．視覚化技術を用いて、前記異常組織の存在を識別する段階と、
ｂ．近位端及び遠位端を有する可撓性のシャフトと、
前記シャフトの前記遠位端に配置された膨張可能なバルーンと、
高周波エネルギーを発生する出力源に連結可能であり、該出力が供給される際に、前記バルーンが前記食道内で膨張したときのバルーンの周囲に接触する全ての前記組織にエネルギーが均一に供給されることになるように位置決めされたエネルギー分配手段と、
を含むバルーンカテーテルを前記ヒト食道内に内視鏡的に挿入する段階と、
ｃ．前記除去組織を有するヒト食道の部分に近接して前記バルーンを位置決めする段階と、
ｄ．前記食道内腔の組織が前記バルーンの周囲表面に接触して、その結果前記バルーンの外側表面が、前記除去組織にしっかり押圧されて前記組織への血流が減少又は抑制されるようにするように前記バルーンを膨張させて位置決めする段階と、
ｅ．前記バルーンに関連する吸引手段を活性化し、前記食道内腔の組織を吸引して前記バルーンの周囲表面に接触させる段階と、
ｆ．前記エネルギー分配手段に除去エネルギーを供給して、予め定められた除去深度まで組織を除去する段階と、を含む方法。